(57)【要約】【課題】  低床仕様、バリアフリー対策で浴槽の跨ぎ高さが可能な限り低くされ、遠隔操作式排水栓装置を備えた浴槽底部と防水パンとの空間の高さを抑制させた排水接続構造である。【解決手段】  浴槽を防水パンに載置し、該防水パンの排水口に対して浴槽の排水口を接続するに当って、浴槽が遠隔操作式排水栓装置を支持備えた排水口金具とで挟持締着される直落しナットは、直筒状の本体が上下対称とされ、その上下端に上下対称の外向きフランジを形成し、直筒状の本体内周面全体に内ネジを形成し、前記下外向きフランジには、該下外向きフランジと防水パンの排水口とを接続する軟質パッキンが介在される排水接続構造である。【選択図】図１
2009052378.tif 000002
【特許請求の範囲】
【請求項１】
浴槽を防水パンに載置し、該防水パンの排水口に対して浴槽の排水口を接続するに当って、浴槽が遠隔操作式排水栓装置を支持備えた排水口金具とで締着される直落しナットは、直筒状の本体が上下対称とされ、その上下端に上下対称の外向きフランジを形成し、直筒状の本体内周面全体に内ネジを形成し、前記下外向きフランジには、該下外向きフランジと防水パンの排水口とを接続する軟質パッキンが介在されることを特徴とする排水接続構造。
【請求項２】
直落しナットは、直筒状の本体の上下対称の中間位置に遠隔操作式のレリースワイヤを挿通する枝管が配設されていることを特徴とする請求項１記載の排水接続構造。
【請求項３】
直落しナットは、直筒状の本体の上下対称の中間位置で、且つ本体の筒壁上にその軸心より軸が離れた遠隔操作式のレリースワイヤを挿通する枝管が配設されていることを特徴とする請求項１記載の排水接続構造。
【請求項４】
直落しナットは、直筒状の本体の上下対称の中間位置で、且つ本体の筒壁上に遠隔操作式のレリースワイヤを挿通する枝管が配設され、該枝管がその軸を本体の筒壁接線上とし、蝸牛状とされることを特徴とする請求項２記載の排水接続構造。
【発明の詳細な説明】
【技術分野】
【０００１】  本発明は、低床仕様、バリアフリー対策として、浴槽の跨ぎ高さが可能な限り低くされた遠隔操作式排水栓装置を備えた浴槽の排水口と、防水パンの排水口との、これらが接続される排水接続構造に関するものである。
【背景技術】
【０００２】  従来から、高層マンション化による低床仕様と、バリアフリー対策とによって、浴槽の跨ぎ高さが可能な限り低くされ、遠隔操作式排水栓装置を備えた浴槽底部と防水パンとの空間の高さを抑えた排水接続構造が待望されている。
遠隔操作式排水栓装置を備えた浴槽の排水口と防水パンの排水口との排水接続構造には、これらが接続される接続継手を備え、該接続継手は、周面に遠隔操作を排水栓へ伝達するレリースワイヤが挿通される技管（挿通部）を備え、この接続継手が、防水パンの排水口への接続に際して、水密性を保持する上で、両者の平面方向及び垂直方向の寸法誤差を吸収する調整手段（蛇腹状筒）を介在するものである。【０００３】  接続継手は、浴槽の排水口を貫通した排水口金具にねじ込み装着し、浴槽の排水口の縁を挟み込み、接続継手の下端には防水パンの排水口よりも小径にして当該排水口内を平面方向及び垂直方向に移動可能に突設した接続排水管と、該接続排水管の下端よりも上方に周設した防水パンの排水口よりも大径のフランジとが形成され、該フランジと防水パンの排水口とを、水密状に密着し、該フランジの位置高さの自動調整をし、このような調整手段が配設されているものである（特許文献１）。【０００４】  また、浴槽の排水口と防水パンの排水口との排水接続構造が、円筒状の本体の上部に浴槽への取付用のフランジを形成し、下部に防水パンの排水口へ取付けた軟質部材（蛇腹）と接合するリング状の接合部（フランジ）を形成し、この接合部の下面を傾斜面とする接続継手（直落しナット）でなり、防水パンの排水口に浴槽の排水口を接続する際に、接続継手の接合部が防水パンの排水口に取付けられた軟質部材を押し潰す状態になって水密性を確保するものである（特許文献２）。【０００５】
【特許文献１】  特開２００３−２３２０６４
【特許文献２】  特開２００６−１５２５８８
【発明の開示】
【発明が解決しようとする課題】
【０００６】  周面に遠隔操作を排水栓へ伝達するレリースワイヤが挿通される枝管を備え、防水パンの排水口への接続の際に、調整手段を介在させて水密性を確保するようにした接続継手でなる排水接続構造（特許文献１）においては、接続継手が浴槽を排水口金具とで挟持締着させるナットを兼ねることになって、高層マンション化による低床仕様、バリアフリー対策における浴槽の跨ぎ高さを可能な限り低くし、浴槽底部と防水パンとの空間の高さを抑えるという点について、一応解決したかに見えたが、接続継手の下端に、防水パンの排水口に差込み接続する接続排水管を備え、水密性のために介在させた調整手段は、接続構造を複雑化し、複雑化したが故に、接続施工の容易性を欠くことになり、施工後の修理にも事欠き、不都合である。【０００７】  また、円筒状の本体の上部に、浴槽への取付用フランジを形成し、その下部に、防水パンの排水口へ取付けられた軟質部材と接合する下面を傾斜面とするリング状接合部を形成した接続継手でなる排水接続構造（特許文献２）においては、接続継手が、一応、単純な構造になったが、防水パンの排水口に取付けられた軟質部材を押し潰し、水密性を確保する施工の際、排水接続構造が浴槽の陰になって見えない状態で、軟質部材に接続継手の接続部を位置合せしなければならず、平面方向及び垂直方向へ移動し、水密状に密着させることは非常に困難で、時間を要し、不都合である。
また、この接続継手には、遠隔操作を排水栓に伝達するレリースワイヤが挿通される挿通部を備えておらず、接続継手の接合部と防水パンの排水口に取付けられた軟質部材と間に挟めた状態で引き出すことは、そこに隙間を生じ易く、水密性に支障を来すと共に、接続継手による防水パンの排水口への接続施工時に、レリースワイヤが邪魔し、作業の円滑化を為難くしている。
【課題を解決するための手段】
【０００８】  そこで、本発明の排水接続構造は、浴槽の排水口と防水パンの排水口とを接続する接続継手が、浴槽を遠隔操作式排水栓装置の支持備えられた排水口金具とで挟持締着する直落しナットに兼用されることになり、この直落しナットが直筒状本体、本体の上下端に上下対称の外向きフランジを形成し、上下対称であるので、方向性を考慮せずに排水口金具に簡単且つ容易に螺合することができ、また、下方になった外向きフランジには、容易に軟質パッキンを取付けられ、このことによって、構造が簡単で、防水パンの排水口との水密性の確保でき、そして容易に施工しやすくできることを目的とする。【０００９】  更に、浴槽の跨ぎ高さを可能な限り低くすることができ、そして、低くなったからとて、レリースワイヤを挿通する枝管が形成され、直落しナットへのレリースワイヤの挿通に支障しないことを目的とする。【００１０】  本発明の排水接続構造は、浴槽を防水パンに載置し、該防水パンの排水口に対して浴槽の排水口を接続するに当って、浴槽が遠隔操作式排水栓装置を支持備えた排水口金具とで締着される直落しナットが、直筒状の本体を上下対称とし、その上下端に上下対称の外向きフランジを形成し、直筒状の本体内周面全体に内ネジを形成し、前記下外向きフランジには、該下外向きフランジと防水パンの排水口とを接続する軟質パッキンを介在するものである。【００１１】  本発明の排水接続構造は、直落しナットが直筒状の本体の上下対称の中間位置に遠隔操作式のレリースワイヤを挿通する枝管を配設するものである。【００１２】  本発明の排水接続構造は、直落しナットが直筒状の本体の上下対称の中間位置で、且つ本体の筒壁上に、その軸心より軸が離れた遠隔操作式のレリースワイヤを挿通する枝管を配設するものである。【００１３】  本発明の排水接続構造は、直落しナットが、直筒状の上下対称の中間位置で、且つ本体の筒壁上に遠隔操作式レリースワイヤの挿通する枝管を配設し、該枝管がその軸を本体の筒壁接線上とし、蝸牛状とするものである。
【発明の効果】
【００１４】  本発明の排水接続構造は、浴槽が上下対称の直落しナットと排水口金具とで締着され、その直落しナットの下外向きフランジに防水パンの排水口を接続する軟質パッキンが取付けられるだけの構造簡単で、且つ部品点数を少なくした、組付け簡単、且つ容易に、それでいて水密性の確保ができる。【００１５】  そして、遠隔操作式レリースワイヤの挿通する枝管が直落しナットの中間位置にあるので、浴槽への締着時に、排水口金具と、方向性を考慮せず容易に取付けることができる。【００１６】  直落しナットの遠隔操作式レリースワイヤの挿通する枝管が、直落しナット本体の筒壁上にその軸心より軸を外して配設されているので、排水口金具に支持備えた遠隔操作式排水栓の作動部より直落しナットの筒壁へ挿通させるレリースワイヤが屈折せずに、緩慢な曲げにすることができ、レリースワイヤの遠隔操作機能を良好にすると共に、耐久性をも向上させることができる。
なお、遠隔操作式レリースワイヤを挿通する枝管が、その軸を直落しナット本体の筒壁の接線上になるように配設されることによって、その効果は一層向上することになる。
なおまた、枝管が、直落しナット本体の筒壁上にその軸心より軸を外して配設されて、或いは該枝管が、その軸を直落しナット本体の筒壁の接線上になるように配設されることによって、直落しナットの上下反転で、枝管の配設方向を逆転させることができる。よって、レリースワイヤの挿通させる方向を逆転することができる。
【発明を実施するための形態】
【００１７】  本発明は、低床仕様、バリアフリー対策によって、浴槽の底部と防水パンとの空間の高さが可能な限り抑えられた、その為の浴槽の排水口と防水パンの排水口との排水接続構造である。
排水接続構造は、図１に示す如く、防水パン２の排水口２０に対して浴槽１の排水口１０の縁を接続するに当って、浴槽１が、遠隔操作式排水栓装置１１を支持備えた排水口金具１２に直落しナット３をパッキン１３を介して螺合することによって、該排水口金具と直落しナット３とで挟持締着される。
【００１８】  直落しナット３は、直筒状の本体３１が上下対称とされ、その中間位置に遠隔操作式のレリースワイヤが挿通される枝管３４を配設し、そしてその直落しナットの上下端には、上下対称の外向きフランジ３２を形成する。
本体３１の内周面全体は、内ネジ３３が刻設され、上外向きフランジ３２ａによって直落しナット３を排水口金具１２に螺合することにより、排水口金具１２とで浴槽１の排水口１０を挟持締着する。また、下外向きフランジ３２ｂには、該下外向きフランジと防水パン２の排水口２０とで、水密性のための押圧接続がされる軟質パッキン４を介在し、該軟質パッキンの上端部が被抱保持される。
【００１９】  軟質パッキン４は、直落しナット３と防水パン２の排水口２０とに接続する、押し潰されることによって水密性が確保されるものであって、一般的には、ゴム製蛇腹状体である。上端には、直落しナット３の下外向きフランジ３２ｂが被抱保持される大径の断面コ字型環状端部４１を形成し、下端には、防水パン２の排水口２０に差込まれる小径の筒状差込端部４２を形成している。
【００２０】  防水パン２は、その排水口２０の下方向には、排水トラップ又は排水トラップ接続管２１が設置され、該排水トラップ又は排水トラップ接続管を被蓋するカバー２２には排水口２０が形成されている。
【００２１】  遠隔操作式排水栓装置１１は、浴槽１の排水口１０を開閉する排水栓１１１と、直落しナット３の枝管３４より挿通させて、浴槽１を直落しナット３とで挟持する排水口金具１２に支持部材１１２をもって支持する作動部１１３と、該作動部へ接続されるレリースワイヤ１１４と、操作部（図示せず）とでなり、操作部よりの操作がレリースワイヤ１１４による伝達で、排水栓１１１が昇降される。
【００２２】  遠隔操作式排水栓装置１１を備えた浴槽の排水口１０と防水パンの排水口２０とが接続される排水接続構造において、該排水接続構造が、低床仕様、バリアフリー対策によって、浴槽底部と防水パン２との空間の高さを抑えられ、その高さが抑制されることになる。
そこで、浴槽の排水口１０と防水パンの排水口２０とが接続される排水接続構造に、接続継手の機能を、浴槽１が排水口金具１２とで挟持締着される直落しナット３に担せ、部品点数を省略することになり、それでいて、高さ嵩を減少させ、その上、直落しナット３を防水パン２の排水口２０へ接続する設置誤差が調整される調整材として、軟質パッキン４が採用され、該軟質パッキンを直落しナット３の下外向きパッキン３２ｂに簡単且つ容易に被抱挟持し、取付けることができるような構造にしているので、作業の困難性がなく、短時間での施工ができる。
【００２３】  そして、排水口金具１２と直落しナット３とで挟持締着された浴槽１は、排水口金具１２に遠隔操作式排水栓装置１１が備えられ、直落しナット３には、軟質パッキン４を容易に取付け、これらが取付けられた浴槽１は、軟質パッキン４の下端の小径筒状差込端部を防水パンの排水口２０に簡単且つ容易に差込むことができることになって、設置作業が熟練者でなくても短時間に終了させることができる。
【００２４】  なお、浴槽１を排水口金具１２と、直落しナット３とで挟持締着するに当って、直落しナット３には方向性がないのでどちらの方向からも螺合することができ、作業が簡素化でき、また更に、上下両端にある外向きフランジ３２が、上下対称であるので、軟質パッキン４の直落しナット３への取付けに交換性があるので、考慮なくできる。
よって、作業が簡単且つ容易で、効率良く、時間短縮することになる。
【００２５】  図２、図３、及び図４で示す如く、レリースワイヤを挿通させる枝管３４が、直筒状の本体３１の上下対称の中間位置で直落しナット３の本体３１の筒壁上に、その軸心より軸が離れた位置にあるようにした場合には、特に、本体３１の筒壁上に配設された枝管３４が、その軸心を本体３１の筒壁接線上とし、蝸牛状とされた場合には、枝管３４から挿通されたレリースワイヤが枝管３４の挿通孔３５を経て、本体３１内壁面を沿って旋回した上で遠隔操作式排水栓装置１１の作動部１１３に接続されるので、作動部１１３への接続のための鋭い屈曲が逃避されることになって、レリースワイヤに曲げ負担が軽減され、耐久性と、良い作動性を得ることができることになる。
そして、直落しナットの本体３１を上下反転することによって、枝管３４の本体３１に対する配設方向が逆転され、直落しナット３の本体３１へ挿通され、旋回するようにされるレリースワイヤの挿通方向を逆転させることができ、直落しナット３を単に反転するのみで、レリースワイヤの挿通方向を変更できるので、施工が効果的である。
なお、枝管３４には、水密性を保持させるための挿通ブッシュ５が嵌着され、レリースワイヤが挟持挿通されている。
【図面の簡単な説明】
【００２６】
【図１】  排水栓開閉状態を示す排水接続構造の断面図である。
【図２】  軟質パッキン及び挿通ブッシュが装着され、枝管を備えた蝸牛状の直落しナットの断面図である。
【図３】  軟質パッキン及び挿通ブッシュが装着され、枝管を備えた蝸牛状の直落しナットの上面図である。
【図４】  軟質パッキン及び挿通ブッシュが装着され、枝管を備えた蝸牛状の直落しナットの側面図である。
【符号の説明】
【００２７】１        浴槽
１０      排水口
１１      遠隔操作式排水栓装置
１１１    排水栓
１１２    支持部材
１１３    作動部
１１４    レリースワイヤ
１２      排水口金具
１３      パッキン
２        防水パン
２０      排水口
２１      排水トラップ又は排水トラップ接続管
２２      カバー
３        直落しナット
３１      本体
３２      外向きフランジ
３２ａ    上外向きフランジ
３２ｂ    下外向きフランジ
３３      内ネジ
３４      枝管
３５      挿通孔
４        軟質パッキン
４１      断面コ字型環状端部
４２      筒状差込端部
５        挿通ブッシュ
【図１】
2009052378.tif 000003
【図２】
2009052378.tif 000004
【図３】
2009052378.tif 000005
【図４】
2009052378.tif 000006